(57)【要約】      （修正有）【課題】除菌や清掃が容易で清潔な状態に保つことができ、交換用のマスクも収納することができるマスクケースを提供する。【解決手段】展開すると１枚になるシートを折りたたんで、複数のマスクの収納部を形成したマスクケースであって、裏面２２から左側に表面２４が延設され、裏面に対して表面を折り曲げて形成した第一の収納部、第一の収納部の裏面側から上側に延設され、第一の収納部の表面側に折り曲げられる上蓋３０、第一の収納部の表面から左側に延設され、第一の収納部の裏面側に折り曲げられる裏蓋５０、裏蓋の下側に延設され、第一の収納部の表面側に折り曲げられる下蓋４０、を備え、第一の収納部の表面と、上蓋及び下蓋との間で、第二の収納部を形成し、第一の収納部の裏面と、裏蓋との間で第三の収納部を形成する。１枚のシートであり、簡単に除菌・清掃ができる。【選択図】図１
0003229984.tif 000002
【実用新案登録請求の範囲】
【請求項１】
マスクを収納するマスクケースであって、
展開すると１枚になるシートを折りたたんで、複数のマスクの収納部を形成したことを特徴とするマスクケース。
【請求項２】
裏面から左側に表面が延設されており、前記裏面に対して前記表面を折り曲げて形成した第一の収納部，
前記第一の収納部の裏面側から上側に延設されて、前記第一の収納部の表面側に折り曲げられる上蓋，
前記第一の収納部の表面から左側に延設されて、前記第一の収納部の裏面側に折り曲げられる裏蓋，
前記裏蓋の下側に延設されて、前記収納部の表面側に折り曲げられる下蓋，
を備えており、
前記第一の収納部の表面と、前記上蓋及び下蓋との間で、マスクの第二の収納部を形成し、
前記第一の収納部の裏面と、前記裏蓋との間でマスクの第三の収納部を形成した、
ことを特徴とする請求項１記載のマスクケース。
【請求項３】
前記上蓋に係合片を形成するとともに、前記下蓋にスリットを形成し、
前記上蓋を前記下蓋の上に被せたときに、前記上蓋の係合片を前記下蓋のスリットに挿入することで、前記第二の収納部に蓋をすることを特徴とする請求項２記載のマスクケース。
【請求項４】
前記シートとして、抗菌・消臭機能を有する素材を使用したことを特徴とする請求項１〜３のいずれか一項に記載のマスクケース。
【請求項５】
前記裏蓋の角部に切除部を形成したことを特徴とする請求項２〜４のいずれか一項に記載のマスクケース。
【考案の詳細な説明】
【技術分野】
【０００１】
本考案は、マスクを収納するマスクケースの改良に関する。
【背景技術】
【０００２】
従来のマスクケースとしては、例えば、下記特許文献１に記載された「マスク収納ケース」がある。これは、抗菌加工が施されたポリプロピレン材料を用い、マスク本体を外気に触れないように収納するために、開閉可能な部分と圧着による密閉部分を作成することで、マスクの出し入れと密閉に近い状態での保存機能を兼ね備えたことを特徴としている。
【先行技術文献】
【特許文献】
【０００３】
【特許文献１】実用新案登録第3170827号公報
【考案の概要】
【考案が解決しようとする課題】
【０００４】
しかしながら、上述した背景技術では、圧着する辺があるために、使用後の除菌処理ないし清浄処理を簡単に行うことができず、清潔な状態に保つことが難しい。また、交換用のマスクも収納できると、好都合である。
【０００５】
本考案は、以上のような点に着目したもので、除菌や清掃が容易で清潔な状態に保つことができ、交換用のマスクも収納することができるマスクケースを提供することを、その目的とする。
【課題を解決するための手段】
【０００６】
本考案のマスクケースは、展開すると１枚になるシートを折りたたんで、複数のマスクの収納部を形成したことを特徴とする。より具体的には、裏面から左側に表面が延設されており、前記裏面に対して前記表面を折り曲げて形成した第一の収納部，前記第一の収納部の裏面側から上側に延設されて、前記第一の収納部の表面側に折り曲げられる上蓋，前記第一の収納部の表面から左側に延設されて、前記第一の収納部の裏面側に折り曲げられる裏蓋，前記裏蓋の下側に延設されて、前記収納部の表面側に折り曲げられる下蓋，を備えており、前記第一の収納部の表面と、前記上蓋及び下蓋との間で、マスクの第二の収納部を形成し、前記第一の収納部の裏面と、前記裏蓋との間でマスクの第三の収納部を形成した、ことを特徴とする。
【０００７】
主要な形態の一つによれば、前記上蓋に係合片を形成するとともに、前記下蓋にスリットを形成し、前記上蓋を前記下蓋の上に被せたときに、前記上蓋の係合片を前記下蓋のスリットに挿入することで、前記第二の収納部に蓋をすることを特徴とする。他の形態によれば、前記シートとして、抗菌・消臭機能を有する素材を使用したことを特徴とする。更に他の形態によれば、前記裏蓋の角部に切除部を形成したことを特徴とする。本考案の前記及び他の目的，特徴，利点は、以下の詳細な説明及び添付図面から明瞭になろう。
【考案の効果】
【０００８】
本考案によれば、1枚のシートを折りたたんで、複数のマスクを収納できるようにしたので、展開することで除菌・消臭を簡単に行うことができ、使用中ないし使用済みのマスクの他に交換用のマスクを収納することができる。
【図面の簡単な説明】
【０００９】
【図１】本考案のマスクケースの実施例の外観を示す図である。
【図２】前記実施例の展開状態から折りたたむ手順を示す図である。
【図３】前記実施例の使用状態を示す図である。
【考案を実施するための形態】
【００１０】
以下、本考案を実施するための最良の形態を、実施例に基づいて詳細に説明する。
【実施例１】
【００１１】
図１には、本実施例にかかるマスクケース１０の外観が示されている。同図(A)は表面側が示されており、マスクケース１０の収納部２０の上側には上蓋３０が設けられており、表側に折り曲げられるようになっている。また、収納部２０の下側には下蓋４０が設けられており、表面側に折り曲げられるようになっている。収納部２０は、裏面２２と表面２４が重なっており、表面２４には、湾曲した切除部２６が設けられている。
【００１２】
上述した上蓋３０には半円形の係合片３２が形成されており、下蓋４０にはスリット４２が設けられている。上蓋３０を下蓋４０の上に被せ、上蓋３０の係合片３２を下蓋４０のスリット４２に挿入することで、収納部２０に蓋をすることができるようになっている。
【００１３】
図１(B)には裏面側が示されており、収納部２０の左端から裏蓋５０が折り曲げられており、この裏蓋５０の下端が表側に折り曲げられて、上述した下蓋４０となっている。裏蓋５０は、角部が斜めに切除された切除部５２となっており、収納部２０の裏面が露出している。このようにすることで、収納部２０と裏蓋５０との間に対するマスクの出し入れを容易に行うことができる。
【００１４】
図２(A)には、上述したマスクケース１０を展開した状態が示されている。同図に示すように、マスクケース１０は、展開することで１枚のシートとなる。同図(A)の状態から、同図(B)〜(E)に示すように、実線で示す谷折り，二点鎖線で示す山折りを施すことで、マスクケース１０を得ることができる。同図(A)に示す展開した状態では、収納部２０の裏面２２の上側に上蓋３０が延設されており、収納部２０の裏面２２の左側に表面２４が延設されている。収納部２０の表面２４の更に左側には、裏蓋５０が延設されており、この裏蓋５０の下側に下蓋４０が延設されている。
【００１５】
次に、同図(A)の展開した状態から、収納部２０の裏面２２の線ＬＡで、表面２４，裏蓋５０，下蓋４０の全体を折り曲げると、同図(B)に示すように、裏面２２と表面２４が重なって収納部２０が形成される。次に、同図(B)の状態から、裏蓋５０及び下蓋４０を、線ＬＢで裏側に折り曲げると、同図(C)に示すように、裏蓋５０が裏側に隠れるとともに、下蓋４０が収納部２０の下側に位置する。
【００１６】
この状態で、収納部２０の表面２４側に、まず下蓋４０を線ＬＣで折り曲げるようにすると、同図(D)に示すようになり、下蓋４０に被せるように上蓋３０を線ＬＤで折り曲げ、上蓋３０の係合片３２を下蓋４０のスリット４２に挿入すると、同図(E)に示すようになる。
【００１７】
図３には、以上のように各面を折り曲げて得たマスクケース１０に対してマスク６０を収納する様子が示されている。まず、同図(A)に示すように、上蓋３０を開けた状態で、収納部２０内にマスク６０を収納することができる。次に、収納部２０の表側と、上蓋３０及び下蓋４０との間に、マスク６２を収納することができる。更に、同図(B)に示すように、収納部２０の裏側と、裏蓋５０との間に、マスク６４を収納することができる。例えば、収納部２０に収納するマスク６２は未使用のマスクとし、他のマスク６０もしくは６４は使用中ないし使用済みのマスクとするといった具合である。もちろん、マスク６０，６２，６４の３つを必ず収納する必要はなく、いずれか一つのみを収納してよい。
【００１８】
図３(C)には、除菌ないし清掃時の様子が示されている。図２(A)に示したように、マスクケース１０は、全体が展開可能であり、展開すると１枚のシートとなる。このため、シート面を除菌・清掃シート７０で拭くだけで、簡単に除菌・清掃を行ことができる。
【００１９】
本願のマスクケース１０は、どのように使用してもよいが、例えば、夏季の暑いときや食事のときに外したマスクを収納する，予備のマスクを収納して持ち歩く，といった使用方法が好適である。また、マスクとハンカチを収納するといった使用方法も考えられる。
【００２０】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。
(2)シートの素材としては、例えば、ポリプロピレン（ＰＰ）が好適であるが、ポリエチレンテレフタラート（ＰＥＴ），塩化ビニルなどの各種の樹脂材料を使用してよい。折り曲げ可能な素材であれば、紙など他の素材を用いてもよい。
(3)シートに各種模様や着色を施してもよいし、抗菌・消臭といった機能を付加してもよい。
(4)前記実施例で示した表裏，上下左右は、便宜上定めたものであり、いずれの面を表裏とし、あるいはいずれの方向を上下左右とするかは、適宜設定してよい。
【産業上の利用可能性】
【００２１】
本考案によれば、1枚のシートを折りたたんで、複数のマスクを収納できるようにしたので、展開することで除菌・消臭を簡単に行うことができ、使用中ないし使用済みのマスクの他に交換用のマスクを収納することができ、マスクケースに好適である。
【符号の説明】
【００２２】
１０：マスクケース
２０：収納部
２２：裏面
２４：表面
２６：切除部
３０：上蓋
３２：係合片
４０：下蓋
４２：スリット
５０：裏蓋
５２：切除部
６０，６２，６４：マスク
７０：除菌・清掃シート
ＬＡ，ＬＢ，ＬＣ，ＬＤ：線
【図１】
0003229984.tif 000003
【図２】
0003229984.tif 000004
【図３】
0003229984.tif 000005
【手続補正書】
【提出日】令和2年10月19日(2020.10.19)
【手続補正１】
【補正対象書類名】実用新案登録請求の範囲
【補正対象項目名】全文
【補正方法】変更
【補正の内容】
【実用新案登録請求の範囲】
【請求項１】
マスクを収納するマスクケースであって、
展開すると１枚になるシートを折りたたんで、複数のマスクの収納部が形成されており、
裏面から左側に表面が延設されており、前記裏面に対して前記表面を折り曲げて形成した第一の収納部，
前記第一の収納部の裏面側から上側に延設されて、前記第一の収納部の表面側に折り曲げられる上蓋，
前記第一の収納部の表面から左側に延設されて、前記第一の収納部の裏面側に折り曲げられる裏蓋，
前記裏蓋の下側に延設されて、前記収納部の表面側に折り曲げられる下蓋，
を備えており、
前記第一の収納部の表面と、前記上蓋及び下蓋との間で、マスクの第二の収納部を形成し、
前記第一の収納部の裏面と、前記裏蓋との間でマスクの第三の収納部を形成した、
ことを特徴とするマスクケース。
【請求項２】
前記上蓋に係合片を形成するとともに、前記下蓋にスリットを形成し、
前記上蓋を前記下蓋の上に被せたときに、前記上蓋の係合片を前記下蓋のスリットに挿入することで、前記第二の収納部に蓋をすることを特徴とする請求項１記載のマスクケース。
【請求項３】
前記シートとして、抗菌・消臭機能を有する素材を使用したことを特徴とする請求項１又は２記載のマスクケース。
【請求項４】
前記裏蓋の角部に切除部を形成したことを特徴とする請求項１〜３のいずれか一項に記載のマスクケース。